(57)【要約】【課題】  普段使用しないピアス等を有効に活用することができ、装飾アクセサリを自在に選択できて飽きのこない装飾具の提供。【解決手段】  頭髪等の被装着部に装着される装着部と、装着部に支持された板状の装飾保持部３とを備え、装飾保持部３に装飾アクセサリ４を支持させ、装飾アクセサリ４により装飾を施してなる装飾具１において、装飾保持部３には、その厚み方向に貫通した一又は複数の取り付け孔５，５…が形成され、装飾アクセサリ４は、取り付け孔５に挿入される挿通ピン６と、挿通ピン６の一方の端部に支持された装飾部７と、挿通ピン６に係止されるキャッチ８とを備え、挿通ピン６を取り付け孔５に通した状態でキャッチ８を挿通ピン６に係止させ、装飾アクセサリ４を装飾保持部３に着脱可能に取り付ける。【選択図】  図２
2006122639.tif 000002
【特許請求の範囲】
【請求項１】
頭髪、衣服等の被装着部に装着される装着部と、該装着部に支持された装飾保持部とを備え、前記装飾保持部に装飾アクセサリを支持させ、該装飾アクセサリにより装飾を施してなる装飾具において、
前記装飾保持部には、その厚み方向に貫通した一又は複数の取り付け孔が形成され、装飾アクセサリは、前記取り付け孔に挿入される挿通ピンと、該挿通ピンの一方の端部に支持された装飾部と、前記挿通ピンに係止されるキャッチとを備え、前記挿通ピンを前記取り付け孔に通した状態で前記キャッチを挿通ピンに係止させ、前記装飾アクセサリを装飾保持部に着脱可能に取り付けたことを特徴としてなる装飾具。
【請求項２】
装飾アクセサリは、キャッチ式ピアスである請求項１に記載の装飾具。
【請求項３】
装着部は、被装着部に挿入される差込棒を有する請求項１又は２に記載の装飾具。
【請求項４】
装着部は、基端部が回転軸を介して互いに回動可能に連結された一対の挟持片と、前記両挟持片の先端側部が互いに近接する方向に前記両挟持片を付勢する付勢手段と、前記両挟持片の基端側にそれぞれ連続して形成された操作片とを備え、該操作片が装飾保持部を兼用する請求項１又は２に記載の装飾具。
【請求項５】
挟持片は、先端が櫛歯状に形成された請求項４に記載の装飾具。
【発明の詳細な説明】
【技術分野】
【０００１】
本発明は、主に簪や髪飾り又はブローチ等の装飾具に関する。
【背景技術】
【０００２】
従来、簪等の髪飾りでは、頭髪部に挿し込まれる棒状の装着部と、板状の装飾保持部とを一体に備え、その板状の装飾保持部表面に宝石等の装飾アクセサリを接着等によって取り付けることにより装飾を施したものが知られている。
【発明の開示】
【発明が解決しようとする課題】
【０００３】
しかし、上述の如き従来の技術では、宝石等の装飾アクセサリが固定された状態にあるので、代わり映えがせずに飽きてしまうという問題があり、また、既製品では自分の好みに合ったデザインと異なるものも多い。
【０００４】
一方で、ピアス等の装飾具は、多数所有するうちに普段使用するものと、ほとんど使用しないものとに別れ、ほとんど使用しなくなったものは、せっかく所有していても有効に活用する場面がなかった。
【０００５】
そこで本発明は、上述の従来技術の問題を鑑み、普段使用しないピアス等を有効に活用することができ、装飾アクセサリを自在に選択できて飽きのこない装飾具の提供を目的とする。
【課題を解決するための手段】
【０００６】
上述の如き従来の問題を解決し、所期の目的を達成するための請求項１に記載の発明は、頭髪、衣服等の被装着部に装着される装着部と、該装着部に支持された板状の装飾保持部とを備え、前記装飾保持部に装飾アクセサリを支持させ、該装飾アクセサリにより装飾を施してなる装飾具において、前記装飾保持部には、その厚み方向に貫通した一又は複数の取り付け孔が形成され、装飾アクセサリは、前記取り付け孔に挿入される挿通ピンと、該挿通ピンの一方の端部に支持された装飾部と、前記挿通ピンに係止されるキャッチとを備え、前記挿通ピンを前記取り付け孔に通した状態で前記キャッチを挿通ピンに係止させ、前記装飾アクセサリを装飾保持部に着脱可能に取り付けた装飾具であることを特徴とする。
【０００７】
請求項２に記載の発明は、請求項１の構成に加え、装飾アクセサリは、キャッチ式ピアスであることを特徴とする。
【０００８】
請求項３に記載の発明は、請求項１又は２の構成に加え、装着部は、被装着部に挿入される差込棒を有することを特徴とする。
【０００９】
請求項４に記載の発明は、請求項１又は２の構成に加え、装着部は、基端部が回転軸を介して互いに回動可能に連結された一対の挟持片と、前記両挟持片の先端側部が互いに近接する方向に前記両挟持片を付勢する付勢手段と、前記両挟持片の基端側にそれぞれ連続して形成された操作片とを備え、該操作片が装飾保持部を兼用することを特徴とする。
【００１０】
請求項５に記載の発明は、請求項４の構成に加え、挟持片は、先端部が櫛歯状に形成されたことを特徴とする。
【発明の効果】
【００１１】
本発明に係る装飾具は、頭髪、衣服等の被装着部に装着される装着部と、該装着部に支持された板状の装飾保持部とを備え、前記装飾保持部に装飾アクセサリを支持させ、該装飾アクセサリにより装飾を施してなる装飾具において、前記装飾保持部には、その厚み方向に貫通した一又は複数の取り付け孔が形成され、装飾アクセサリは、前記取り付け孔に挿入される挿通ピンと、該挿通ピンの一方の端部に支持された装飾部と、前記挿通ピンに係止されるキャッチとを備え、前記挿通ピンを前記取り付け孔に通した状態で前記キャッチを挿通ピンに係止させ、前記装飾アクセサリを装飾保持部に着脱可能に取り付けたことによって、気分やＴＰＯに合わせて装飾具の装飾部分のデザインを変更することができ、飽きがこない。
【００１２】
装飾アクセサリは、キャッチ式ピアスであることによって、普段使用しないピアスも装飾アクセサリとして有効活用することができる。
【発明を実施するための最良の形態】
【００１３】
次に、本発明に係る装飾具について説明する。
【００１４】
図１は、本発明に係る装飾具の一例である簪１を示している。
【００１５】
この簪１は、頭髪部に挿し込まれる装着部２と、装着部２に一体に支持された平板状の装飾保持部３とを備え、装飾保持部３に宝石等の装飾アクセサリ４を支持させることにより簪１に装飾が施されるようになっている。
【００１６】
装着部２と装飾保持部３とは、合成樹脂材をもって一体成形されている。
【００１７】
装着部２は、一方の端部が先細状に形成された一対の差込棒２ａ，２ａをもって構成され、両差込棒２ａの他方の端部に板状の装飾保持部３が一体に支持されている。
【００１８】
装飾保持部３は、デザインに合わせて表面が湾曲した板状に形成され、厚み方向に貫通した複数の取り付け孔５，５が形成されている。各取り付け孔５は、装飾保持部３の形状やデザインに合わせた所定の位置に配置されている。
【００１９】
この取り付け孔５の内径は、キャッチ式ピアスのピンが挿入可能な大きさとなっており、キャッチ式ピアスを装飾アクセサリ４として使用できるようになっている。
【００２０】
装飾アクセサリ４は、取り付け孔５に挿通される挿通ピン６と、挿通ピン６の他方の端部に支持された宝石等の装飾部７と、挿通ピン６の外周に係止されるリング状のキャッチ８とを備え、挿通ピン６を取り付け孔５に通し、その状態で取り付け孔５を通して装飾保持部３の裏面側に突出した挿通ピン６にキャッチ８を係止させることにより、装飾部７とキャッチ８との間に装飾保持部３を挟持し、装飾アクセサリ４を装飾保持部３に着脱可能に保持させるようになっている。
【００２１】
キャッチ８は、中央に挿通孔８ａが形成されたリング状にゴム材等の弾性材をもって形成され、挿通孔８ａに通された挿通ピン６に対し、自身の弾性力により挿通ピン６に係止されるようになっている。
【００２２】
このように構成された簪１は、装飾アクセサリ４が着脱可能であるので、気分やＴＰＯに合わせて自在にデザインを変更することができ、また、装飾アクセサリ４として普段使用しないピアス等を有効活用することができる。
【００２３】
次に、本発明に係る装飾具の他の実施形態を説明する。尚、上述の実施例と同一の部分には同一符号を付して説明を省略する。
【００２４】
図３は、本発明に係る装飾具の一例を示し、図中符号１０はヘアークリップ、符号４は装飾アクセサリであるキャッチ式ピアスである。
【００２５】
このヘアークリップ１０は、頭髪部を挟持する装着部１１と、装着部１１と一体に形成された装飾保持部とを備え、装飾保持部に宝石等の装飾アクセサリ４を支持させることにより装飾が施されるようになっている。
【００２６】
装着部１１は、基端部が回転軸１２を介して互いに回動可能に連結された一対の挟持片１３，１３と、両挟持片１３，１３の先端側部が互いに近接する方向に両挟持片１３，１３を付勢する付勢手段１４と、両挟持片１３，１３の基端側にそれぞれ連続して形成された操作片１５，１５とを備え、両挟持片１３，１３間に頭髪等の被装着部を挟持できるようになっている。
【００２７】
挟持片１３は、先端側部が相手挟持片側に向けた櫛歯状に形成され、櫛歯間に他方の挟持片１３の櫛歯が嵌まり込むようになっている。
【００２８】
また、挟持片１３の内側面、即ち相手側面には、頭髪に挿し込まれる係止突起１６が一体に形成されている。
【００２９】
一方、挟持片１３の基端部には、それぞれに軸受部１７，１８が一体に形成され、両軸受部１７，１８を重ね合わせ、両軸受部１７，１８に回転軸１２を貫通させることにより回転軸１２を介して両挟持片１３，１３が互いに回動可能に連結される。
【００３０】
この挟持片１３には、基端側に操作片１５が連続して一体に形成され、両操作片１５，１５を互いに近づける方向に摘むと、挟持片１３，１３が付勢手段１４に抗して互いに離れて開いた状態となり、操作片１５，１５を離すと両挟持片１３，１３が付勢手段１２により互いに先端部が近接する方向に付勢されて閉じた状態となる。
【００３１】
尚、付勢手段１４には、例えば、コイルバネを使用し、コイルバネを構成する金属線材の両端をそれぞれ延出し、それを操作片１５，１５の表面部に当接させるようになっている。
【００３２】
操作片１５は、挟持片１３の基端部より外側に張り出した形状に形成され、被装着部に装着された際に表側に露出するようになっており、見栄えの良いようにデザインが施されている。
【００３３】
また、この操作片１５には、厚み方向に貫通した取り付け孔５が形成されており、操作片１５が装飾保持部を兼用するようになっている。尚、各取り付け孔５は、装飾保持部の形状やデザインに合わせた所定の位置に配置されている。
【００３４】
そして、上述の実施例と同様に、取付孔５にキャッチ式ピアスからなる装飾用アクセサリ４が装着される。
【００３５】
尚、上述の実施例では、装飾アクセサリ４が各ピン毎に宝石等の宝飾部を有するものを例に説明したが、プレート状の装飾部７の裏面側に複数の挿通ピン６を取り付け孔５の位置に合わせて取り付けたものであってもよい。
【００３６】
また、上述の実施例では、キャッチをゴム材等の弾性材をもって構成したものについて説明したが、その他、金属製のものやバネ機構で挿通ピンを係止する構造のもの等様々な態様のキャッチを使用することができ、また、キャッチの態様に合わせて挿通ピンの外周に係止用の溝等を設けるようにしてもよい。
【００３７】
また、上述の実施例では、簪及びヘアークリップを例に説明したが、本発明に係る装飾具は、ブローチや髪飾り等、その他の装飾具としてもよい。
【図面の簡単な説明】
【００３８】
【図１】本発明に係る装飾具を示す平面図である。
【図２】同上の装飾アクセサリの装着状態を示す断面図である。
【図３】（ａ）は本発明に係る装飾具の他の一例を示す正面図、（ｂ）は同側面図、（ｃ）は同平面図である。
【符号の説明】
【００３９】
１  簪
２  装着部
２ａ  差込棒
３  装飾保持部
４  装飾アクセサリ
５  取り付け孔
６  挿通ピン
７  装飾部
８  キャッチ
１０  ヘアークリップ
１１  装着部
１２  回転軸
１３  挟持片
１４  付勢手段
１５  操作片
１６  係止突起
１７，１８  軸受部
【図１】
2006122639.tif 000003
【図２】
2006122639.tif 000004
【図３】
2006122639.tif 000005